(57)【要約】【課題】デザイン性を高めることができるビレット構造を提供する。【解決手段】フロントグリル２のビレット１を、ビレット本体１２と照明レンズ１３で構成し、ビレット本体１２を、上面部２１と後面部２２と下面部２３とで断面コ字状に形成する。上面部２１に上凸部３１を形成し、下面部２３に下凸部３２を形成する。各凸部３１，３２と後面部２２間の保持部４３にフレキシブル基板４２を保持し、照明レンズ１３は、フレキシブル基板４２に設けられた灯体５１からの光６１を透過する。照明レンズ１３の上壁面６２の端縁を上凸部３１に接合し、下壁面６３の端縁を下凸部３２に接合してシールする。【選択図】図１
2008179225.tif 000002
【特許請求の範囲】
【請求項１】
グリルの開口部に横設されるビレット本体を備えたビレット構造において、
前記ビレット本体を、上面を構成する上面部と、該上面部の後縁部より下方へ延出した後面部と、該後面部の下端部より前方へ向けて延出した下面部とによって前方開口部を備えた形状に形成するとともに、前記上面部と前記下面部との各対向部位に凸部を設け、各凸部と前記後面部との間に、当該ビレット本体の側部より挿入された基板を保持する保持部を形成する一方、
前記基板に設けられた灯体からの光を透過する透明性を有した透光部を前記前方開口部より前記ビレット本体に内嵌し、この内嵌状態で前記上面部に沿って延在する当該透光部の上壁面の端縁及び前記下面部に沿って延在する当該透光部の下壁面の端縁を前記凸部に接合したことを特徴とするビレット構造。
【請求項２】
前記透光部の前記上壁面と前記下壁面とを前縁側で連設する前壁面を、上方から下方へ向かうに従って前方側に傾斜する傾斜面で構成したことを特徴とする請求項１記載のビレット構造。
【発明の詳細な説明】
【技術分野】
【０００１】
本発明は、車両のフロントグリル等の横桟を形成するビレット構造に関する。
【背景技術】
【０００２】
従来、車両の前部には、フロントグリルが設けられており、ラジエータへの通風性が確保されている。
【０００３】
このフロントグリルは、開口部と、該開口部に横設された複数のビレットによって構成されている。
【０００４】
図２は、ビレット８０１を示す図であり、該ビレット８０１は、アルミの押し出し成型によって板状に形成されている。このビレット８０１の前縁側は、下方へ向けて折曲されており、当該ビレット８０１は、その前縁部８０２が下方へ向けて延出した断面への字状に形成されている。
【発明の開示】
【発明が解決しようとする課題】
【０００５】
しかしながら、このような従来のビレット構造にあっては、デザインが金属色に限られてしまい、新たなデザインの要求が高まっている。
【０００６】
本発明は、このような従来の課題に鑑みてなされたものであり、デザイン性を高めることができるビレット構造を提供することを目的とするものである。
【課題を解決するための手段】
【０００７】
前記課題を解決するために本発明の請求項１のビレット構造にあっては、グリルの開口部に横設されるビレット本体を備えたビレット構造において、前記ビレット本体を、上面を構成する上面部と、該上面部の後縁部より下方へ延出した後面部と、該後面部の下端部より前方へ向けて延出した下面部とによって前方開口部を備えた形状に形成するとともに、前記上面部と前記下面部との各対向部位に凸部を設け、各凸部と前記後面部との間に、当該ビレット本体の側部より挿入された基板を保持する保持部を形成する一方、前記基板に設けられた灯体からの光を透過する透明性を有した透光部を前記前方開口部より前記ビレット本体に内嵌し、この内嵌状態で前記上面部に沿って延在する当該透光部の上壁面の端縁及び前記下面部に沿って延在する当該透光部の下壁面の端縁を前記凸部に接合した。
【０００８】
すなわち、グリルの開口部に横設されるビレット本体は、前方開口形状に形成されており、その上面部及び下面部に設けられた凸部と前記後面部との間に形成された保持部には、基板が保持されている。
【０００９】
そして、前記ビレット本体の前記前方開口部には、透明性を有した透光部が内嵌されており、前記ビレット本体内の前記基板に設けられた灯体からの光は、この透光部を透過する。
【００１０】
このため、前記灯体からの光が前記ビレット本体に内嵌された前記透光部を透過することによって、前記ビレット本体と前記透光部とからなるビレットの前面を光らせることができる。
【００１１】
そして、前記透光部を前記ビレット本体に内嵌した状態において、前記透光部の上壁面の端縁及び下壁面の端縁を前記凸部に接合することによって、前記透光部と前記ビレット本体との接合部分がシールされる。
【００１２】
また、請求項２のビレット構造においては、前記透光部の前記上壁面と前記下壁面とを前縁側で連設する前壁面を、上方から下方へ向かうに従って前方側に傾斜する傾斜面で構成した。
【００１３】
すなわち、前記ビレットの前面を構成する前記透光部の前記前壁面は、上方から下方へ向かうに従って前方側に傾斜する傾斜面で構成されており、当該前壁面が構成する発光面は、斜め上方を向くこととなる。
【発明の効果】
【００１４】
以上説明したように本発明の請求項１のビレット構造にあっては、前記ビレット本体内に配設された前記灯体からの光が、ビレット本体の前方開口部に嵌着された前記透光部を透過することによって、前記ビレット本体と前記透光部とからなるビレット前面を光らせることができる。
【００１５】
このため、自発光する新たなデザインのビレットを提供することができ、バリエーションを増やすことができるとともに、デザイン性のさらなる向上を図ることができる。
【００１６】
したがって、当該ビレットが横設されるグリルを自発光することができ、グリルに変化を持たせることができる。
【００１７】
そして、前記透光部を前記ビレット本体に内嵌した状態において、前記透光部の上壁面の端縁及び下壁面の端縁を前記凸部に接合することによって、前記透光部と前記ビレット本体との接合部分をシールすることができる。
【００１８】
これにより、前記透光部と前記ビレット本体とで形成された内部空間の防水性を確保することができ、内部空間への水分浸入による内部の曇りや、基板や灯体等の内蔵部品の腐食を防止することができる。
【００１９】
また、請求項２のビレット構造においては、前記ビレットの前面を構成する前記前壁面を、上方から下方へ向かうに従って前方側に傾斜する傾斜面で構成することによって、当該前壁面が構成する発光面を、斜め上方へ向けることができる。
【００２０】
このとき、当該ビレットが横設されるグリルは、下部側に配置され、上方から見下ろされる場合が多い。このため、使用状態で目に付く前記前壁面を発光することができ、垂直面が発光する場合と比較して、発光量を増大すること無く、発光状態を強調することができる。
【発明を実施するための最良の形態】
【００２１】
以下、本発明の一実施の形態を図に従って説明する。図１は、本実施の形態にかかるビレット構造を備えたビレット１を示す図であり、当該ビレット１を、車両のフロントグリル２に採用した例が示されている。
【００２２】
すなわち、車両のフロントバンパー上側であってラジエータの前部には、エンジンルームに連通する開口部１１が設けられており、該開口部１１には、車幅方向に延在する複数の前記ビレット１が上下に間隔をおいて横設されている。該ビレット１は、アルミ押し出し成型品からなるビレット本体１２と、該ビレット本体１２に設けられた透光部としての照明レンズ１３とを備えている。
【００２３】
前記ビレット本体１２は、上面を構成する上面部２１と、該上面部２１の後縁部より下方へ延出した後面部２２と、該後面部２２の下端部より車両前方Ｆへ向けて延出した下面部２３とによって断面コ字状に形成されており、車両前方Ｆ側に開口した前方開口部２４が形成されている。前記上面部２１の後縁部は、前記後面部２２より車両後方Ｒ側へ延出しており、この延出部分は、前記開口部１１内に起立された支柱２５の切欠部２６に挿入された状態で支持される支持片２７を構成している。これにより、該支持片２７が前記支柱２５の前記切欠部２６に支持された状態で前記後面部２２が前記支柱２５に当接するように構成されており、この状態で前記後面部２２がほぼ垂直に起立するように構成されている。
【００２４】
前記下面部２３の車両前後方向の幅寸法は、前記上面部２１より幅狭に設定されており、当該下面部２３の前縁は、前記上面部２１の前縁より車両後方Ｒへ後退した位置に配置されている。前記上面部２１の前記後面部２２寄りの部位には、前記下面部２３側へ向けて突出した上凸部３１が長さ方向全域に一体形成されており、この上凸部３１に対向した前記下面部２３の部位には、前記上面部２１側へ向けて突出した下凸部３２が長さ方向全域に一体形成されている。
【００２５】
前記各凸部３１，３２と前記後面部２２との間には、間隙が形成されており、この間隙によって、当該ビレット本体１２の側方開口部４１（図１の（ｂ）参照）から挿入されたフレキシブル基板４２を保持する保持部４３が形成されている。これにより、当該ビレット本体１２の長さ方向に延在する長尺状の前記フレキシブル基板４２を前記保持部４３に保持した状態で、当該フレキシブル基板４２の上縁部が前記上凸部３１と前記後面部２２との間に挟持されるとともに、前記フレキシブル基板４２の下縁部が前記下凸部３２と前記後面部２２との間に挟持されるように構成されている。
【００２６】
このフレキシブル基板４２には、複数の灯体５１が長さ方向に等間隔をおいて設けられており（一つの灯体５１のみ図示）、各灯体５１は、前記フレキシブル基板４２のプリント回路に半田付けされた電球や発光ダイオードで構成されている。前記プリント回路には、図１の（ｂ）に示したように、前記各灯体５１に電力を供給する為のハーネス５２が接続されており、該ハーネス５２の先端には、電源に接続する為のコネクタ５３が設けられている。このハーネス５２は、前記ビレット本体１２の前記側方開口部４１より延出するように構成されており、このハーネス５２が延出した前記側方開口部４１及び他方の側方開口部は、コーキング剤５４によって閉鎖されシールされている。
【００２７】
前記照明レンズ１３は、無色透明の樹脂によって形成されており、前記フレキシブル基板４２に設けられた前記灯体５１からの光６１を透過できるように構成されている。この照明レンズ１３は、前記前方開口部２４より前記ビレット本体１２に内嵌した状態で取り付けられており、この内嵌状態において、前記ビレット本体１２の前記上面部２１に沿って延在する上壁面６２と、前記ビレット本体１２の前記下面部２３に沿って延在する下壁面６３と、前記上壁面６２及び前記下壁面６３を前縁側で連設する前壁面６４とによって車両後方Ｒ側へ開口した断面コ字状に形成されている。
【００２８】
前記上壁面６２の端縁は、前記ビレット本体１２の前記上凸部３１の側面に達するように構成されており、当該上壁面６２の端面は、接着剤によって前記上凸部３１の側面に接着固定されている。また、前記下壁面６３の端縁は、前記ビレット本体１２の前記下凸部３２の側面に達するように構成されており、当該下壁面６３の端面も、接着剤によって前記下凸部３２の側面に接着固定されている。これにより、前記照明レンズ１３の前記各壁面６２，６３が接合される前記各凸部３１，３２の側面は、シール面７１，７１を構成しており、前記照明レンズ１３と前記ビレット本体１２で包囲された内部空間７２は密閉され水密性が保たれている。
【００２９】
この照明レンズ１３における前記上壁面６２の車両前後方向の幅寸法は、前記下壁面６３の幅寸法より幅狭に形成されており、当該照明レンズ１３の前記前壁面６４は、前記ビレット本体１２の前記後面部２２に対して傾斜するとともに、上方から下方へ向かうに従って車両前方Ｆ側に傾斜した傾斜面を形成するように構成されている。
【００３０】
また、前記ビレット本体１２の前記下面部２３の車両前後方向の幅寸法は、前記上面部２１より狭く設定されていることから、前記照明レンズ１３の前記下壁面６３は、その前縁側が露出している。これにより、当該ビレット１には、前記灯体５１からの光６１を下方へ透過して、下部に配置されたビレット１を照明する下窓部８１が形成されている。
【００３１】
以上の構成にかかる本実施の形態において、フロントグリル２の開口部１１に横設された前記ビレット本体１２は、前方開口形状に形成されており、その上面部２１及び下面部２３に設けられた上凸部３１及び下凸部３２と前記後面部２２との間に形成された保持部４３には、前記フレキシブル基板４２が保持されている。
【００３２】
そして、前記ビレット本体１２の前記前方開口部２４には、透明性を有した透光部としての照明レンズ１３が内嵌されており、前記ビレット本体１２内の前記フレキシブル基板４２に設けられた灯体５１からの光６１は、この照明レンズ１３を透過する。
【００３３】
このため、前記灯体５１からの光６１が前記ビレット本体１２に内嵌した前記照明レンズ１３を透過することによって、前記ビレット本体１２と前記照明レンズ１３とからなるビレット１の前面を光らせることができる。これにより、自発光する新たなデザインのビレット１を提供することができ、バリエーションを増やすことができるとともに、デザイン性のさらなる向上を図ることができる。
【００３４】
したがって、当該ビレット１が横設される前記フロントグリル２を自発光することができ、当該フロントグリル２に変化を持たせることができる。
【００３５】
そして、前記照明レンズ１３を前記ビレット本体１２に内嵌した状態において、前記照明レンズ１３の上壁面６２の端縁及び下壁面６３の端縁を、対応する各凸部３１，３２側面のシール面７１，７１に接合することによって、前記照明レンズ１３と前記ビレット本体１２との接合部分をシールすることができる。
【００３６】
これにより、前記照明レンズ１３と前記ビレット本体１２とで形成された内部空間７２の防水性を確保することができ、当該内部空間７２への水分浸入による前記照明レンズ１３内面の曇りや、前記フレキシブル基板４２や灯体５１等の内蔵部品の腐食を防止することができる。
【００３７】
また、前記ビレット１の前面を構成する前記照明レンズ１３の前記前壁面６４は、上方から下方へ向かうに従って車両前方側に傾斜する傾斜面で構成されており、当該前壁面６４が構成する発光面を、斜め上方へ向けることができる。
【００３８】
このとき、当該ビレット１が横設される前記フロントグリル２は、目線より下側に配置されており、上方から見下ろされる。このため、使用状態で目に付く前記前壁面６４を発光することができ、垂直面が発光する場合と比較して、発光量を増大すること無く、発光状態を強調することができる。
【００３９】
なお、本実施の形態にあっては、前記ビレット１をフロントグリル２に採用した場合を例に挙げて説明したが、これに限定されるものではなく、例えばバンパに設けられたバンパグリルなど、他の箇所に採用しても良い。
【図面の簡単な説明】
【００４０】
【図１】本発明の一実施の形態を示す図で、（ａ）は要部の断面図であり、（ｂ）は端部の斜視図である。
【図２】従来のビレットを示す説明図である。
【符号の説明】
【００４１】
１    ビレット
２    フロントグリル
１１    開口部
１２    ビレット本体
１３    照明レンズ
２１    上面部
２２    後面部
２３    下面部
２４    前方開口部
３１    上凸部
３２    下凸部
４１    側方開口部
４２    フレキシブル基板
４３    保持部
５１    灯体
６１    光
６２    上壁面
６３    下壁面
６４    前壁面
７１    シール面
【図１】
2008179225.tif 000003
【図２】
2008179225.tif 000004